(57)【要約】【課題】情報処理装置を使用する使用者の手や静電気を発する物体等から発生する静電気が情報発信部材に伝達することにより、情報発信部材に悪影響が生じるという問題があった。【解決手段】カラーレーザプリンタの本体フレームの開口部から挿入されたプロセスユニットの一部に接触して回転する本体側アクチュエータ８５は、その本体側アクチュエータ８５を付勢する捩りバネ１００、及び、その捩りバネ１００の他端１０３に一体形成された圧縮バネ１０５を介して、アース板２７０に接続されている。【選択図】図５
2015106085.tif 000002
【特許請求の範囲】
【請求項１】
開口部を有する装置筐体と、
第一位置と第ニ位置とを移動可能に前記装置筐体内に設けられた移動部材と、
前記移動部材の位置に応じて電気的な情報を発する情報発信部材と、
前記情報発信部材よりも前記装置筐体の開口部側に設けられ、且つ、前記移動部材を第一位置或いは第二位置の少なくとも一方に向かって付勢するため一端側と、前記一端側とは別に伸展した他端側とを有し、前記一端側と前記他端側との間で弾性変形可能であって、且つ、電気を通電可能な第一弾性部材と、
電気的に接地された接地部材と、
前記第一弾性部材の他端側を介して前記第一弾性部材と前記接地部材との間で電気を通電する通電部材と、
前記接地部材に接近させるように前記通電部材を付勢する弾性変形可能な弾性変形部を有する第二弾性部材と、
を備えることを特徴とする情報処理装置。
【請求項２】
請求項１に記載の情報処理装置であって、
前記情報発信部材は、前記移動部材の一端側が前記第一位置にあるか前記第二位置にあるかを検出し、
前記移動部材が前記第一位置と前記第二位置とを移動しても、前記情報発信部材の位置より前記開口部の手前側となるように、前記第一弾性部材の一端側が前記移動部材とつながっている、
情報処理装置。
【請求項３】
請求項２に記載の情報処理装置であって、
前記装置筐体は、前記開口部から連通する空間に面した内壁と装置外観となる外壁とを有し、前記内壁には貫通した貫通部が形成され、
前記移動部材は、前記外壁と前記内壁との間であって、前記貫通部と対向する位置に配置され、
前記情報発信部材は、前記外壁と前記内壁との間に配置され、前記第一弾性部材の一端側が前記移動部材とつながっている位置より、前記外壁面よりに配置されている、
情報処理装置。
【請求項４】
請求項３に記載の情報処理装置であって、
前記移動部材は、回転軸を中心として回転して、前記第一位置と前記第ニ位置とを移動可能であって、
前記情報発信部材は、前記移動部材の回転軸を挟んだ一端側が前記第一位置にあるか前記第二位置にあるかを検出し、
前記貫通部は、少なくとも前記移動部材の回転軸を挟んだ一端側または他端側を通過可能である、
情報処理装置。
【請求項５】
請求項３から４のいずれか１項に記載の情報処理装置であって、
前記開口部の前記内壁は、少なくとも電気を通電しない非通電部材で形成されている、
情報処理装置。
【請求項６】
請求項５に記載の情報処理装置であって、
前記開口部の側面、前記係止部材、前記移動部材の回転軸を支持する支持部材、及び、前記移動部材は、少なくとも電気を通電しない非通電部材で形成されている、
情報処理装置。
【請求項７】
請求項１から６のいずれか１項に記載の情報処理装置であって、
前記第二弾性部材の一端を係止して当該第二弾性部材を前記接地部材との間で圧縮された状態に維持する係止部材を、
更に備えたことを特徴とする情報処理装置。
【請求項８】
請求項１から７のいずれか１項に記載の情報処理装置であって、
前記通電部材は線状部材であって、前記通電部材の断面積より広い面積で、前記通電部材が前記接地部材と接続されている、
情報処理装置。
【請求項９】
請求項１から８のいずれか１項に記載の情報処理装置であって、
更に、
前記開口部に対して引き出し可能に挿入され、被検出部を有する被挿入部材と、
制御部と、
を備え、
前記被挿入部材の前記被検出部が、前記移動部材の回転軸を挟んだ他端側と当接したとき、前記移動部材は前記第二位置に位置し、
前記被挿入部材の前記被検出部が、前記移動部材の回転軸を挟んだ他端側と当接しないとき、前記移動部材は前記第一位置に位置し、
前記情報発信部材は、前記第二位置に位置することを前記制御部に伝達し、
前記制御部は、前記伝達によって前記被挿入部材が挿入されたことを判断する、
情報処理装置。
【請求項１０】
請求項９記載の情報処理装置であって、
前記被挿入部材は、現像剤担持体を備える現像カートリッジを着脱可能に構成され、感光体を保持し、
前記被挿入部材の被検出部は、前記現像カートリッジが前記被挿入部材に装着され、かつ、前記現像カートリッジが新品である場合に、前記移動部材の回転軸を挟んだ他端側と当接し、
前記現像カートリッジが前記被挿入部材に装着されない、又は、前記現像カートリッジが旧品である場合には、前記移動部材の回転軸を挟んだ他端側と当接しない、
情報処理装置。
【請求項１１】
請求項１から１０のいずれか１項に記載の情報処理装置であって、
前記第一弾性部材と前記第二弾性部材とが、共に一体形成されていて、電気を通電可能であることを特徴とする情報処理装置。
【請求項１２】
請求項１から１０のいずれか１項に記載の情報処理装置であって、
前記通電部材と前記第二弾性部材とが、共に一体形成されていて、電気を通電可能であることを特徴とする情報処理装置。
【請求項１３】
請求項１から１０のいずれか１項に記載の情報処理装置であって、
前記第一弾性部材と前記通電部材と前記第二弾性部材とが、共に一体形成されていて、電気を通電可能であることを特徴とする情報処理装置。
【発明の詳細な説明】
【技術分野】
【０００１】
本発明は、電気的情報を発信する情報発信部材を有する情報処理装置に関する。
【背景技術】
【０００２】
従来、例えば、この種の情報処理装置としては、情報処理装置を使用する使用者の手や静電気を発する物体の影響を受けやすい位置に、情報発信部材（例えば、フォトセンサ）
が設けられた情報処理装置がある（例えば、特許文献１参照。）。
【先行技術文献】
【特許文献】
【０００３】
【特許文献１】特開２０１１−１８０２６８号公報
【発明の概要】
【発明が解決しようとする課題】
【０００４】
情報処理装置を使用する使用者の手や静電気を発する物体等から発生する静電気が情報発信部材に伝達することにより、情報発信部材に悪影響が生じるという問題があった。
【課題を解決するための手段】
【０００５】
前記目的を達するためになされた本発明の情報処理装置は、開口部を有する装置筐体と、第一位置と第ニ位置とを移動可能に前記装置筐体内に設けられた移動部材と、前記移動部材の位置に応じて電気的な情報を発する情報発信部材と、前記情報発信部材よりも前記装置筐体の開口部側に設けられ、且つ、前記移動部材を第一位置或いは第二位置の少なくとも一方に向かって付勢するため一端側と、前記一端側とは別に伸展した他端側とを有し、前記一端側と前記他端側との間で弾性変形可能であって、且つ、電気を通電可能な第一弾性部材と、電気的に接地された接地部材と、前記第一弾性部材の他端側を介して前記第一弾性部材と前記接地部材との間で電気を通電する通電部材と、前記接地部材に接近させるように前記通電部材を付勢する弾性変形可能な弾性変形部を有する第二弾性部材と、
を備えることを特徴とする。
【０００６】
ここで、第一弾性部材の他端側は、弾性変形可能な第二弾性部材、通電部材を介して、電気的に接地されている接地部材に接続されている。静電気等の電気は、第一弾性部材、第二弾性部材、通電部材を順次経由して接地部材に流れる。したがって、本発明の情報処理装置では、情報発信部材に静電気等の静電気が流れるのを良好に抑制することができる。
【０００７】
なお、本発明の情報処理装置のように弾性部材を介して接地する技術思想は、例えば、実公平７−１０３０８号公報等にも開示されている。しかしながら、本発明では、弾性を有する第二弾性部材を介して第一弾性部材が接地部材に接続されているので、静電気を一層良好に接地部材に流すことができる。
【０００８】
また、本発明の情報処理装置において、前記情報発信部材は、前記移動部材の一端側が前記第一位置にあるか前記第二位置にあるかを検出し、前記移動部材が前記第一位置と前記第二位置とを移動しても、前記情報発信部材の位置より前記開口部の手前側となるように、前記第一弾性部材の一端側が前記移動部材とつながっていてもよい。
【０００９】
情報発信部材が備えられている位置より、第一弾性部材の一端側と移動部材がつながっている箇所が、開口部の手前となるようにつながっているため、静電気が情報発信部材に到達するまえに、電気を通電可能な第一弾性部材と、通電部材と、第二弾性部材とに流れることで、情報発信部材に悪影響を及ぼさないようにすることができる。
【００１０】
特に、移動部材が第一位置と第二位置とを移動したとしても、情報発信部材が備えられている位置より、第一弾性部材の一端側と移動部材がつながっている箇所が、開口部の手前となるようにつながっているため、良好に接地部材に静電気等の電気を流すことができる。
【００１１】
また、本発明の情報処理装置において、前記装置筐体は、前記開口部から連通する空間に面した内壁と装置外観となる外壁とを有し、前記内壁には貫通した貫通部が形成され、
前記移動部材は、前記外壁と前記内壁との間であって、前記貫通部と対向する位置に配置され、前記情報発信部材は、前記外壁と前記内壁との間に配置され、前記第一弾性部材の一端側が前記移動部材とつながっている位置より、前記外壁面よりに配置されていてもよい。
【００１２】
貫通部から情報発信部材に静電気等の電気が流れる恐れがあるが、本発明では、情報発信部材は、外壁と内壁との間に配置され、第一弾性部材の一端側が移動部材とつながっている位置より、外壁面よりに配置されている。故に、本発明の情報処理装置は、良好に設置部材に静電気等の電気を流すことができる。
【００１３】
また、本発明の情報処理装置において、前記移動部材は、回転軸を中心として回転して、前記第一位置と前記第ニ位置とを移動可能であって、前記情報発信部材は、前記移動部材の回転軸を挟んだ一端側が前記第一位置にあるか前記第二位置にあるかを検出し、前記貫通部は、少なくとも前記移動部材の回転軸を挟んだ一端側または他端側を通過可能であってもよい。
【００１４】
本発明の情報処理装置は、貫通部に、移動部材の回転軸を挟んだ一端側または他端側を通過可能に構成されているので、情報発信部材を含んだ装置筐体を、一端側または他端側を通過可能にした分、小さくすることができる。
【００１５】
本発明の情報処理装置は、前記開口部の前記内壁は、少なくとも電気を通電しない非通電部材で形成されていてもよい。また、本発明の情報処理装置において、前記開口部の側面、前記係止部材、前記移動部材の回転軸を支持する支持部材、及び、前記移動部材は、少なくとも電気を通電しない非通電部材で形成されていてもよい。
【００１６】
開口部の前記内壁、係止部材、移動部材の回転軸を支持する支持部材、及び、移動部材が、電気を通電しない非通電部材であれば、静電気等の電気が流れやすい情報発信部材に静電気等の電気が流れる恐れがある。本発明の情報処理装置は、開口部の内壁が非通電部材であっても、電気を通電可能な第一弾性部材と、通電部材と、第二弾性部材とによって、電気的に接地された接地部材に静電気等の電気を流すことで、情報発信部材に悪影響を及ぼさないようにすることができる。
【００１７】
本発明の情報処理装置は、前記第二弾性部材の一端を係止して当該第二弾性部材を前記接地部材との間で圧縮された状態に維持する係止部材を、更に備えていてもよい。
その場合、第二弾性部材は、係止部剤と接地部材との間で圧縮された状態に維持されるので、第二弾性部材と接地部材とを一層良好に接触させることができ、情報発信部材に静電気等の電気が流れるのを一層良好に抑制することができる。
【００１８】
本発明の情報処理装置は、前記通電部材は線状部材であって、前記通電部材の断面積より広い面積で、前記通電部材が前記接地部材と接続されていてもよい。その場合、通電部材の断面積より広い面積で、前記通電部材が前記接地部材と接続されているので、良好に静電気等の電気を接地部材に流すことができる。
【００１９】
本発明の情報処理装置は、更に、前記開口部に対して引き出し可能に挿入され、被検出部を有する被挿入部材と、制御部と、を備え、前記被挿入部材の前記被検出部が、前記移動部材の回転軸を挟んだ他端側と当接したとき、前記移動部材は前記第二位置に位置し、
前記被挿入部材の前記被検出部が、前記移動部材の回転軸を挟んだ他端側と当接しないとき、前記移動部材は前記第一位置に位置し、前記情報発信部材は、前記第二位置に位置することを前記制御部に伝達し、前記制御部は、前記伝達によって前記被挿入部材が挿入されたことを判断してもよい。
【００２０】
情報発信部材が静電気等の電気によって誤動作することなく、情報発信部材の伝達によって、制御部が被挿入部材が挿入されたことを判断することができる。
本発明の情報処理装置は、前記被挿入部材は、現像剤担持体を備える現像カートリッジを着脱可能に構成され、感光体を保持し、前記被挿入部材の被検出部は、前記現像カートリッジが前記被挿入部材に装着され、かつ、前記現像カートリッジが新品である場合に、前記移動部材の回転軸を挟んだ他端側と当接し、前記現像カートリッジが前記被挿入部材に装着されない、又は、前記現像カートリッジが旧品である場合には、前記移動部材の回転軸を挟んだ他端側と当接しない構成でもよい。
【００２１】
本発明の情報処理装置は、前記第一弾性部材と前記第二弾性部材とが、共に一体形成されていて、電気を通電可能であってもよい。
また、本発明の情報処理装置は、前記通電部材と前記第二弾性部材とが、共に一体形成されていて、電気を通電可能であってもよい。
【００２２】
また、本発明の情報処理装置は、前記第一弾性部材と前記通電部材と前記第二弾性部材とが、共に一体形成されていて、電気を通電可能であってもよい。
そして、その場合、前記第一弾性部材と前記第二弾性部材とは、共に一体形成されていてもよい。その場合、移動部材の移動により第一弾性部材と第二弾性部材とに力が加わっても、両者が一体に形成されているので強度を確保することができる。
【００２３】
また、本発明の情報処理装置において、前記被挿入部材は、現像剤担持体を備える現像カートリッジを着脱可能に構成され、感光体を保持し、前記被挿入部材の被検出部は、前記現像カートリッジが前記被挿入部材に装着され、かつ、前記現像カートリッジが新品である場合に、前記移動部材の一部と当接し、前記現像カートリッジが前記被挿入部材に装着されない、又は、前記現像カートリッジが旧品である場合には、前記被検出部は前記移動部材の一部と当接しなくてもよい。その場合、情報発信部材を介して、新品の現像カートリッジが装着されているか否かを判断することができる。
【００２４】
そして、その場合、前記装置筐体は、一部は前記接地部材によって構成され、残部は、樹脂部材で構成されていてもよい。従来、感光体や現像カートリッジを備えた画像形成装置（情報処理装置の一例）は、金属製のフレームと樹脂製のフレームとを組み合わせて構成されていた。これに対して、前記のように、装置筐体が一部を除いて樹脂部材で構成された場合、部品点数を削減して製造コストを削減したり軽量化を図ったりする上では有利であるが、静電気を帯びやすくなる。しかしながら、本発明では、前述のように、情報発信部材に静電気が流れるのを良好に抑制することができる。このため、前記の場合、情報処理装置の一例としての画像形成装置の製造コストを低減し、かつ、軽量化を図り、さらに、静電気による検出部への悪影響も抑制することができる。
【００２５】
また、本発明の処理装置において、前記第二弾性部材の一端を係止して当該第二弾性部材を前記接地部材との間で圧縮された状態に維持する係止部材を、更に備えてもよい。その場合、第二弾性部材は、係止部剤と接地部材との間で圧縮された状態に維持されるので、第二弾性部材と接地部材とを一層良好に接触させることができ、情報発信部材に静電気等の電気が流れるのを一層良好に抑制することができる。
【図面の簡単な説明】
【００２６】
【図１】本発明の情報処理装置の一例としてのカラーレーザプリンタの一実施形態を示す側断面図である。
【図２】図１に示すプロセスユニットの左上側から見た斜視図である。
【図３】検出動作を説明するための説明図であって、検知ギヤの駆動前を示し、（ａ）はプロセス側アクチュエータを右上から見た斜視図であり、（ｂ）はプロセス側アクチュエータを上から見た断面図である。
【図４】前記カラーレーザプリンタの本体フレームを示す斜視図である。
【図５】本体側アクチュエータの構成及び動作を示す斜視図である。
【図６】図４におけるＡ部の拡大図である。
【図７】本体側アクチュエータの装着状態を示す図であって、（ａ）はサイドフレームの内側から見た図であり、（ｂ）はサイドフレームの裏側から見た図である。
【図８】前記本体フレームの金属部分及び本体側アクチュエータを示す斜視図である。
【図９】前記カラーレーザプリンタの回路構成を示すブロック図である。
【図１０】前記カラーレーザプリンタの通電部材の構成を表す斜視図である。
【図１１】他の実施形態における通電部材の構成を表す斜視図である。
【発明を実施するための形態】
【００２７】
１．カラーレーザプリンタの全体構成
図１に示すように、カラーレーザプリンタ１（情報処理装置の一例）は、横置きタイプのダイレクトタンデム型カラーレーザプリンタである。カラーレーザプリンタ１は、本体ケーシング２内に、用紙Ｐを給紙するための給紙部３と、給紙された用紙Ｐに画像を形成するための画像形成部４とを備えている。
【００２８】
（１）本体ケーシング
本体ケーシング２は、給紙部３及び画像形成部４を収容する側面視略矩形状のボックス状に形成されており、その一方側壁には、後述するプロセスユニット９を着脱させるためのフロントカバー５が形成されている。フロントカバー５は、本体ケーシング２に対して下端部を支点として揺動自在に設けられている。
【００２９】
なお、以下の説明において、フロントカバー５が設けられる側（図１における紙面右側）を前側とし、その反対側（図１における紙面左側）を後側とする。また、カラーレーザプリンタ１を前側から見たときを左右の基準とする。すなわち、図１の紙面手前側が左側であり、紙面奥側が右側である。
【００３０】
（２）給紙部
給紙部３は、用紙Ｐを収容する給紙トレイ６を備えている。給紙トレイ６は、本体ケーシング２内の底部に着脱自在に装着されている。給紙トレイ６の前端部上側には、１対のレジストローラ７が設けられている。
【００３１】
（３）画像形成部
画像形成部４は、スキャナユニット８、プロセスユニット９、転写ユニット１０、及び定着ユニット１１を備えている。
【００３２】
（３−１）スキャナユニット
スキャナユニット８は、本体ケーシング２の上部に配置されている。スキャナユニット８は、実線で示すように、４つの感光ドラム１４に向けて、レーザービームをそれぞれ出射し、感光ドラム１４を露光する。
【００３３】
（３−２）プロセスユニット
（３−２−１）プロセスユニットの構成
プロセスユニット９は、スキャナユニット８の下側であって、転写ユニット１０の上側に配置されており、プロセスフレーム１２と、各色に対応する４つの現像カートリッジ１３とを備えている。また、プロセスユニット９は、本体ケーシング２に対して、前後方向にスライドすることにより、着脱自在に設けられている。
【００３４】
プロセスフレーム１２は、本体ケーシング２に対して、前後方向に沿って引き出し可能に設けられ、感光ドラム１４、スコロトロン型帯電器１５及びドラムクリーニングローラ１６を保持している。
【００３５】
感光ドラム１４は、左右方向に沿って設けられ、前後方向に互いに間隔を隔てて、４つ並列配置されている。具体的には、前側から後側に向かって、シアン感光ドラム１４Ｃ、
マゼンダ感光ドラム１４Ｍ  、イエロー感光ドラム１４Ｙ及びブラック感光ドラム１４Ｋ
が、順次配置されている。
【００３６】
各現像カートリッジ１３は、各感光ドラム１４に対応するように、感光ドラム１４の上側において、プロセスフレーム１２に対して着脱可能に設けられている。具体的には、前側から後側に向かって、シアン現像カートリッジ１３Ｃ、マゼンダ現像カートリッジ１３Ｍ、イエロー現像カートリッジ１３Ｙ、ブラック現像カートリッジ１３Ｋが、順次配置されている。また、各現像カートリッジ１３は、それぞれ、現像剤担持体の一例としての現像ローラ１７を備えている。
【００３７】
なお、現像カートリッジ１３は、現像ローラ１７にトナーを供給する供給ローラ１８、現像ローラ１７に供給されたトナーの厚みを規制する層厚規制ブレード１９を備え、それらの上側の空間には、トナーが収容されている。
【００３８】
（３−３）転写ユニット
転写ユニット１０は、本体ケーシング２内において、給紙部３の上側であって、プロセスユニット９の下側において、前後方向に沿って配置されている。この転写ユニット１０は、駆動ローラ２０、従動ローラ２１、搬送ベルト２２、及び４つの転写ローラ２３を備えている。
【００３９】
（３−４）定着ユニット
定着ユニット１１は、転写ユニット１０の後側に配置され、加熱ローラ２４、及び加熱ローラ２４に対向する加圧ローラ２５を備えている。
【００４０】
給紙トレイ６に収容されている用紙Ｐは、１枚ずつ、画像形成部４に向けて搬送され、
スキャナユニット８、プロセスユニット９、転写ユニット１０、及び、定着ユニット１１を経て、用紙Ｐに画像形成され、各排紙ローラ２６によって、図示しないＵターンパスを通過するように搬送され、スキャナユニット８の上側に形成される排紙トレイ２７上に排紙される。
【００４１】
２．電気的構成
図９に示すように、カラーレーザプリンタ１は、メイン基板１５０とセンサ基板２８０とアース板２７０と画像形成部４とを有している。メイン基板１５０は、ＣＰＵ１５１を有するＡＳＩＣ１５２（制御部の一例）と、ＲＯＭ１５３と、ＲＡＭ１５４と、を有している。
ＲＯＭ３２には，カラーレーザプリンタ１を制御するための各種制御プログラムや各種設定，初期値等が記憶されている。ＲＡＭ３３は，各種制御プログラムが読み出される作業領域として，あるいは画像データを一時的に記憶する記憶領域として利用される。ＣＰＵ１５１は、ＲＯＭ３２から各種制御プログラムを読み出し、画像形成部４等を制御して、用紙Ｐに画像形成させる。
【００４２】
メイン基板１５０は、後述するアース板２７０がハーネス等（不図示）を介してメイン基板１５０のグランド（ＧＮＤ）に接地されている。又、センサ基板２８０もメイン基板１５０のグランド（ＧＮＤ）に接地されている。
【００４３】
センサ基板２８０は、後述するフォトセンサ８４（情報発信部材の一例）を、各現像カートリッジ１３に応じて備えている。そして、プロセスユニット９に装着された現像カートリッジ１３が新品である場合、新品の現像カートリッジ１３に対応するフォトセンサ８４がセンサ信号を、ＣＰＵ１５１に対して送信する。ＣＰＵ１５１は、新品の現像カートリッジ１３に対応するフォトセンサ８４からのセンサ信号を受信することによって、該現像カートリッジ１３が新品であると認識し、認識したことに基づいて、新品検出時からの現像カートリッジの寿命の判断等を行う。
【００４４】
３．プロセスユニットの詳細
（１）プロセスフレーム
プロセスフレーム１２は、図２に示すように、前後方向に長手の平面視略矩形枠形状に形成されている。また、プロセスフレーム１２は、左右１対の側板３１を備えている。
【００４５】
両側板３１は、左右方向において互いに間隔を隔てて対向配置されている。両側板３１は、図２に示すように、前後方向に長手の略矩形状に形成されている。また、両側板３１は、ガイドレール４２を備えている。
【００４６】
なお、本実施形態では、プロセス側アクチュエータ４１（後述）に関する構成は、左側の側板３１にのみ設けられている。そこで、以下の説明において、側板３１については、左側の側板３１を詳細に説明し、右側の側板３１についての説明を省略する。そして、左側の側板３１を、単に側板３１と記載する。
【００４７】
側板３１における各現像カートリッジ１３が装着される位置の左側方には、それぞれカップリング穴３７が形成されている。カップリング穴３７は、後側へ向かうに従って下側へ傾斜するように延びる長穴であり、現像カートリッジ１３のカップリング部材５８（後述）を左側から露出させる。
【００４８】
ガイドレール４２は、前後方向に沿って延びると共に、側板３１の左面から左側へ突出する突条として形成されている。また、ガイドレール４２は、収容部４３と、収容部４３内に収容されるプロセス側アクチュエータ４１とを備えている。収容部４３は、ガイドレール４２（及び側板３１）を左右方向に貫通する開口であり、前後方向に延びる側面視略矩形状に形成されている。また、収容部４３は、各現像カートリッジ１３が装着される位置の左側方において、前後方向に互いに間隔を隔てて、各現像カートリッジ１３毎に、４つ並列配置されている。また、収容部４３内には、上下方向に延びる支持軸６１（図３（ｂ）参照）が設けられている。
【００４９】
プロセス側アクチュエータ４１は、各収容部４３内に１つずつ設けられており、支持軸６１に相対回転可能に支持されている。また、プロセス側アクチュエータ４１は、図３（ａ）及び（ｂ）に示すように、左右方向に延び、左端部が後方に向かって屈曲された平面視略鉤形状に形成されており、当接部４４、被検出部４５及び嵌合部４６を備えている。
【００５０】
当接部４４は、プロセス側アクチュエータ４１の右端部に設けられ、前側に向かう頂部を有する側面視略三角形状に形成されている。また、当接部４４は、第１傾斜面４７を備えている。第１傾斜面４７は、当接部４４の上面であり、後側から前側へ向かうに従って下側に傾斜するように形成されている。
【００５１】
被検出部４５は、当接部４４の左面から左側へ向かって延び、左後側へ向かって屈曲された後、左後側へ延び、さらに後側へ向かって屈曲された後、後側へ延び、後端部において右後側へ屈曲されている。また、被検出部４５の左後側へ延びる部分の前面は、押圧面５０として作用する。
【００５２】
押圧面５０は、右側から左側へ向かうに従って後側へ傾斜している。つまり、押圧面５０に直交する方向は、前側から後側へ向かうに従って右側へ傾斜する方向を含んでいる。言い換えると、押圧面５０に直交する方向は、支持軸６１を回転中心として、平面視時計回りに沿う方向を含んでいる。
【００５３】
嵌合部４６は、被検出部４５の左後側へ向かって屈曲されている部分の前端部に設けられ、上下方向に延び、左前側に向かって開放される平面視略Ｃ字形の略円筒形状に形成されている。
【００５４】
そして、プロセス側アクチュエータ４１は、当接部４４が側板３１の右面から右側に突出され、被検出部４５が側板３１の左面から左側に露出されるように配置され、嵌合部４６が収容部４３内の支持軸６１に回転自在に嵌合されることにより、収容部４３内に水平方向に回転自在に支持されている。
【００５５】
また、プロセス側アクチュエータ４１の嵌合部４６には、コイルバネ３０が巻回されており、コイルバネ３０の一端部が収容部４３の内壁に固定され、コイルバネ３０の他端部がプロセス側アクチュエータ４１の被検出部４５に固定されている。そして、プロセス側アクチュエータ４１は、コイルバネ３０の付勢力により、常には、平面視時計回りに付勢され、被検出部４５が収容部４３内に収容されている（図３（ｂ）参照）。すなわち、被検出部４５は、常には、収容部４３内に収容される収容位置に配置されている。
【００５６】
（２）現像カートリッジ
現像カートリッジ１３は、図２に示すように、フレーム５１と、前記した現像ローラ１７及び供給ローラ１８（図１参照）とを備えている。フレーム５１は、左右方向に延び、後下側へ向かう頂角を有する側面視略二等辺三角形のボックス形状に形成されている。
【００５７】
また、フレーム５１は、その前側上端部において、取っ手５２を備えている。取っ手５２は、フレーム５１の左右方向中央部において、左右方向に延びると共に、フレーム５１の上端部から上側に向かって膨出するように形成されている。ユーザは、各現像カートリッジ１３を取っ手５２を持つことによって、プロセスフレーム１２に対して着脱することができる。
【００５８】
また、フレーム５１の左端部には、カップリング部材５８と、検出ギヤ５６（図３参照）と、ギヤカバー５７とが設けられている。カップリング部材５８は、略円柱形状のカップリング雌部材であり、現像カートリッジ１３の下側後端部に回転自在に設けられている。カップリング部材５８の左端部には、現像カートリッジ１３が本体ケーシング２に装着されたときに、本体ケーシング２に設けられるカップリング雄部材（図示せず）が左方から連結され、本体ケーシング２に備えられるモータ８１（後述：図２参照）からの駆動力が入力される。
【００５９】
検出ギヤ５６は、図３（ａ）に示すように、欠歯ギヤであり、現像カートリッジ１３の上端部に配置されている。詳しくは、検出ギヤ５６は、その周方向において、約４／５が、ギヤ歯を有し、約１／５が、ギヤ歯を有さない欠歯部分として形成されている。また、検出ギヤ５６は、２つの当接突起６６を備えている。
【００６０】
各当接突起６６は、検出ギヤ５６の径方向略中央から径方向外側に向かって延びると共に、検出ギヤ５６の左面から左側へ突出する略平板形状に形成されている。また、各当接突起６６は、一方の当接突起６６が、検出ギヤ５６の欠歯部分の反対側に配置され、他方の当接突起６６が、一方の当接突起６６に対して、検出ギヤ５６の周方向において、左側面視時計回り方向に略１２０°の間隔を隔てるように、配置されている。そして、検出ギヤ５６は、一方の当接突起６６が上側へ向かい、欠歯部分が下側へ向かうようにフレーム５１に回転自在に設けられている。
【００６１】
なお、検出ギヤ５６とカップリング部材５８との間には、それらに噛合するギヤ列（図示せず）が設けられている。これにより、検出ギヤ５６には、ギヤ列（図示せず）を介して、カップリング部材５８からの駆動力が伝達される。
【００６２】
図２に示すように、ギヤカバー５７は、カップリングカバー（図示せず）及び検知ギヤカバー７７を備えている。検知ギヤカバー７７は、検出ギヤ５６を収容可能なように、ギヤカバー５７の左面から左側に向かって延び、左端部が閉鎖された側面視略半円形の筒形状に形成されている。また、検知ギヤカバー７７の後端部には、当接部４４との対向位置において当接突起６６を露出させるための露出口（図示せず）が開口されている。
【００６３】
現像ローラ１７は、フレーム５１の下端部において、その後端部がフレーム５１に形成された開口部（図示せず）から露出されて感光ドラム１４と接触可能なように、左右方向に沿って設けられている。供給ローラ１８は、現像ローラ１７の前方斜め上方に配置され、前方斜め上方から現像ローラ１７に接触されている。
【００６４】
なお、現像ローラ１７の回転軸の左端部、及び、供給ローラ１８の回転軸の左端部には、それぞれ、ギヤ（図示せず）が相対回転不能に設けられており、それらのギヤ（図示せず）がカップリング部材５８に噛合されている。これにより、カップリング部材５８からの駆動力が、現像ローラ１７及び供給ローラ１８に伝達される。
【００６５】
３．本体ケーシングの構成
本体ケーシング２は、外装カバー（図示せず）に覆われる本体フレーム２００（図４参照）を骨格として構成され、モータ８１と、センサユニット８２（図３参照）とを備えている。モータ８１は、図２に示すように、各現像カートリッジ１３のカップリング部材５８に、カップリング雄部材（図示せず）を介して駆動力を入力する。
【００６６】
センサユニット８２は、プロセスユニット９が本体フレーム２００に挿入されたときに、４つのプロセス側アクチュエータ４１とそれぞれ対向するように、左側のサイドフレーム２１０に４つ配置されている。なお、サイドフレーム２１０は、図４に示すように、本体フレーム２００の一部を構成する左右一対の樹脂製のサイドフレーム２１０，２２０のうちの一方である。本体フレーム２００は、このサイドフレーム２１０，２２０と、サイドフレーム２１０，２２０の上端部を連結する金属製の天板部２３０と、サイドフレーム２１０，２２０の下端部を連結する梁部２４０及び底板部２５０（図８参照）等から構成されている。
【００６７】
（１）センサユニットの構成及び動作
また、各センサユニット８２は、図３（ａ）に示すように、フォトセンサ８４と本体側アクチュエータ８５（移動部材の一例）とを備えている。フォトセンサ８４は、正面視において、右側が開放された略Ｕ字形状であり、サイドフレーム２１０に固定されている（後述）。また、フォトセンサ８４は、発光素子８６と受光素子８７とを備えている。
【００６８】
発光素子８６と受光素子８７とは、互いに上下方向に対向するように設けられており、発光素子８６から発光された検出光を、受光素子８７において受光する。なお、発光素子８６は、常時、検出光を発光している。そして、フォトセンサ８４は、受光素子８７が検出光を受光したときには、ＡＳＩＣ１５２に、センサ信号を送信し、受光素子８７が検出光を受光しないときには、ＡＳＩＣ１５２に、センサ信号を送信しない。
【００６９】
本体側アクチュエータ８５は、前後方向に延びる略杆状に形成されており、本体側アクチュエータ８５は、支持軸８８、被当接部８９及び遮光部９０を備えている。支持軸８８は、本体側アクチュエータ８５の前後方向途中に設けられており、上下方向に延びる略円柱形状に形成されている。被当接部８９は、本体側アクチュエータ８５の後端部において、右側に向かって突出する略角柱形状に形成されている。遮光部９０は、本体側アクチュエータ８５の前端部において、左側に向かって突出する平板形状に形成されている。
【００７０】
そして、本体側アクチュエータ８５は、プロセスユニット９が本体フレーム２００に装着されたときに、本体側アクチュエータ８５の被当接部８９と、プロセス側アクチュエータ４１の被検出部４５とが左右方向に対向されるように配置され、支持軸８８において、本体フレーム２００に対して、水平方向に回転可能に支持されている。また、本体側アクチュエータ８５の遮光部９０は、フォトセンサ８４の発光素子８６と受光素子８７との間に遊嵌されている。
【００７１】
そして、本体側アクチュエータ８５は、図５（ａ），（ｂ）に示す捩りバネ１００（第一弾性部材の一例）により、常には、平面視時計回り方向に付勢されている。図５（ａ），（ｂ）に示すように、捩りバネ１００は、上下方向を軸としてコイル状に巻回されたコイル部１０１により付勢力を発生する。コイル部１０１に連接された捩りバネ１００の一端１０２は、本体側アクチュエータ８５の支持軸８８よりも遮光部９０側の部分に係合している。また、コイル部１０１に連接された捩りバネ１００の他端１０３は、サイドフレーム２１０に固定されている（後述）。これにより、センサユニット８２では、常には、図５（ｂ）に示すように、発光素子８６から発光される検出光が本体側アクチュエータ８５の遮光部９０で遮られている。
【００７２】
コイル部１０１に連接された捩りバネ１００の一端１０２が本体側アクチュエータ８５の支持軸８８よりも遮光部９０側の部分に係合している箇所は、本体側アクチュエータ８５が回転しても、常に、フォトセンサ８４の位置よりも開口部から見て手前側にある。
【００７３】
そして、プロセス側アクチュエータ４１の被検出部４５が本体側アクチュエータ８５の被当接部８９に当接されると、図５（ａ）に示すように、本体側アクチュエータ８５が捩りバネ１００の付勢力に抗して平面視反時計回りに回動し、本体側アクチュエータ８５の遮光部９０が、フォトセンサ８４の発光素子８６と受光素子８７との間から右側へ退避する。これにより、センサユニット８２では、発光素子８６から発光される検出光が、受光素子８７に受光される。
【００７４】
ここで、プロセスユニット９が開口部２９０（図４参照）を介して本体フレーム２００内に装着されると、図３（ａ）に示すように、プロセス側アクチュエータ４１の被検出部４５と、対応する本体側アクチュエータ８５の後端部とが、左右方向に対向配置され、ウォーミングアップ動作が開始される。
【００７５】
そして、ウォーミングアップ動作では、本体フレーム２００のカップリング雄部材（図示せず）がカップリング部材５８に左側から嵌合され、モータ８１からの駆動力がカップリング部材５８に入力される（図２参照）。現像カートリッジ１３が新品の場合、カップリング部材５８に入力された駆動力は、図示しないギヤ列を介して検出ギヤ５６に伝達される。そして、検出ギヤ５６に駆動力が伝達されると、検出ギヤ５６が右側面視時計回りに回転される。すると、検出ギヤ５６の回転に伴って、当接突起６６が、右側面視時計回りに移動されて、プロセス側アクチュエータ４１の第１傾斜面４７に上側から当接される。
【００７６】
すると、第１傾斜面４７の傾斜により、当接部４４が後側に向かって押圧される。これにより、プロセス側アクチュエータ４１が、支持軸６１を回転中心として、コイルバネ３０の付勢力に抗して平面視反時計回りに回動され、被検出部４５が、プロセスフレーム１２から左側へ突出される。なお、このとき、プロセス側アクチュエータ４１は、収容部４３の上下方向内壁に案内されて回転される。
【００７７】
すると、突出された被検出部４５が、本体側アクチュエータ８５の被当接部８９に右側から当接され、本体側アクチュエータ８５が平面視反時計回りに回動され始める。これにより、本体側アクチュエータ８５の遮光部９０が、フォトセンサ８４の発光素子８６と受光素子８７との間から、右側へ退避され、フォトセンサ８４の受光素子８７は、発光素子８６からの検出光を受光する。
【００７８】
ただし、検出ギヤ５６は、左側面視反時計回りに所定量（ギヤ歯に対応した４／５回転）回転された後、欠歯部分がギヤ列（図示せず）と対向すると停止する。このような動作は、現像カートリッジ１３が新品の場合に実行され、各現像カートリッジ１３が使用済み（旧品）の場合は、欠歯部分が最初からギヤ列（図示せず）と対向しているため実行されない。
【００７９】
（２）センサユニットの支持構造
本体側アクチュエータ８５は、開口部２９０から見てサイドフレーム２１０の裏側、すなわち、サイドフレーム２１０の左側に設けられている。サイドフレーム２１０には、図４のＡ部拡大図としての図６、及び図７（ａ）に示すように、被当接部８９を右側に通過可能させる穴部２１１（貫通部の一例）が設けられている。このため、被当接部８９は、穴部２１１を介して前述のように被検出部４５に当接することができる。また、サイドフレーム２１０には、遮光部９０の右側にも穴部２１２が形成され、この２つの穴部２１１，２１２が形成されたことによって、本体側アクチュエータ８５は円滑に回転することができる。
また、穴部２１２に、本体側アクチュエータ８５の被当接部８９と遮光部９０とは、２つの穴部２１１、２１２をそれぞれ通過することができるため、２つの穴部２１１、２１２をそれぞれ通過できない構成より、通過することができる分、装置筐体が小さくなる。
【００８０】
図７（ｂ）に示すように、本体側アクチュエータ８５の支持軸８８は、サイドフレーム２１０の左側に設けられた上下一対の軸受け部２１５によって、回転可能に支持されている。また、捩りバネ１００の他端１０３に同一の線材で形成された圧縮バネ１０５（第二弾性部材の一例）は、サイドフレーム２１０の左側に一体成形された係止部２１７（係止部材の一例）と、サイドフレーム２１０の上部に取り付けられたアース板２７０（接地部材の一例）との間に、圧縮された状態で嵌め込まれている。また、捩りバネ１００のコイル部１０１は、サイドフレーム２１０に一体成形されたボス（図示せず）に嵌め込まれている。これによって、捩りバネ１００は前述のように本体側アクチュエータ８５を付勢することができる。
【００８１】
また、捩りバネ１００と一体形成された圧縮バネ１０５は、係止部２１７に係止されたことにより、図５に示すようにアース板２７０に圧接される。しかも、このアース板２７０は、図６に示すように、天板部２３０に立設されたリブ２３３にビス２３１を介して固定されている。さらに、本体フレーム２００の金属部分及び本体側アクチュエータ８５を示す図８からも明らかなように、サイドフレーム２１０に固定されたアース板２７０は、サイドフレーム２２０に固定されたアース板２７０と天板部２３０を介して導通し、良好に電気的に接地されている。
【００８２】
したがって、プロセスユニット９の非装着時に開口部２９０から手などの静電気を帯びた物体が挿入された場合でも、その静電気がフォトセンサ８４に流れるのを良好に抑制することができる。すなわち、その静電気を、捩りバネ１００及び圧縮バネ１０５を介してアース板２７０へ良好に流すことができる。
【００８３】
また、コイル部１０１に連接された捩りバネ１００の一端１０２が本体側アクチュエータ８５の支持軸８８よりも遮光部９０側の部分に係合している箇所は、本体側アクチュエータ８５が回転しても、常に、フォトセンサ８４の位置よりも開口部２９０から見て手前側にあるため、開口部２９０からの静電気がフォトセンサ８４に到達する前に、電気を通電可能な捩りバネ１００、圧縮バネ１０５を介して静電気等の電気をアース板２７０へ良好に流すことができる。
【００８４】
なお、軸受け部２１５及び係止部２１７左側には、フォトセンサ８４が装着されたセンサ基板２８０（図５参照）が配置されているが、本実施形態では、そのセンサ基板２８０に静電気が流れるのも、良好に抑制することができる。また、本実施形態では、本体側アクチュエータ８５が開口部２９０に対して樹脂製のサイドフレーム２１０の裏側（左側）に設けられ、穴部２１１，２１２との対向部のみが開口部２９０側に露出している。
【００８５】
このため、フォトセンサ８４等に静電気が流れるのを、一層良好に抑制することができる。したがって、本実施形態では、フォトセンサ８４及びそれを支持するセンサ基板２８０を良好に静電気から保護することができる。また、開口部２９０側に対する本体側アクチュエータ８５の開口しているので、本体側アクチュエータ８５に他の物体が衝突してその本体側アクチュエータ８５の動作に影響が及ぶことも抑制することができる。
【００８６】
また、本実施形態では、捩りバネ１００が圧縮バネ１０５と一体に形成されているので、その強度を良好に確保することができる。しかも、本実施形態では、図５に示すように、本体側アクチュエータ８５の回転軸（支持軸８８）と捩りバネ１００のコイル部１０１の軸と、圧縮バネ１０５が伸びる方向とが、いずれも上下方向に平行とされている。このため、本体側アクチュエータ８５の回転時にも圧縮バネ１０５とアース板２７０とを安定して接触させることができる。
【００８７】
さらに、本実施形態では、サイドフレーム２１０，２２０はアース板２７０を除いて樹脂部材で構成されている。このため、カラーレーザプリンタ１を構成する部品点数を減らして製造コストを低減し、かつ、カラーレーザプリンタ１の軽量化を図ることができる。通常、このように樹脂部材を多く用いると、静電気が逃げにくくなるが、本実施形態では、前述のように捩りバネ１００及び圧縮バネ１０５を介して良好に静電気を逃がすことができる。このため、本実施形態では、カラーレーザプリンタ１の製造コスト低減及び軽量化と、静電気による悪影響の抑制とを同時に達成することができる。
【００８８】
更に、本実施形態では、図１０（Ａ）及びその拡大図としての図１０（Ｂ）に示すように、圧縮バネ１０５の先端の導通部材（通電部材の一例）１７０は、線状部材であって、その導通部材１７０の断面積より広い面積で、アース板２７０と接続されている。このため、その導通部材１７０を介して圧縮バネ１０５及び捩りバネ１００を良好に接地することができる。
【００８９】
４．本発明の他の実施形態
なお、本発明は前記実施形態に何ら限定されるものではなく、本発明の要旨を逸脱しない範囲で種々の形態で実施することができる。例えば、図１１に示すように、圧縮バネ１０５の先端の導通部材１７０は、線状部材の先端がアース板２７０と接続されてもよい。ただし、アース板２７０と導通部材１７０との接触抵抗を減らして両者を良好に導通させるためには、前記実施形態の方が好ましい場合がある。
【００９０】
さらに、本発明は、以下のような形態で実施されてもよい。
（１）第二弾性部材と通電部材とが一体形成・通電であれば、簡単な構成で実現できるが、必ずしも一体形成である必要でなくてもよい。
（２）２つの弾性部材と通電部材とが一体形成・通電であれば、より簡素な構成で本発明を実現することができるが、必ずしも一体形成である必要でなくてもよい。
（３）第一弾性部材の一端側が移動部材の移動部材回転中心に対して一端側にかけられ、移動部材の他端側が情報発信部材に検知され、移動部材の他端側が開口の近くにあると、情報発信部材を、第一弾性部材の一端側よりも開口に対して離れた側に配置しやすい。。
（５）第二弾性部材の弾性部材が伸縮バネでなくてもよい。
（６）第二弾性部材の弾性部材が引張バネであってもよい。
（７）導通部材１７０の先端がアース板２７０沿っているが、交差するように摺動可能に接触していてもよい。導通部材１７０によってアース板２７０の表面がこすれるので、通電の確実性が確保される。
（８）導通部材１７０の先端が尖っていて、その先端が弾性力を受けアース部材２７０に摺動可能に接触していてもよい。よりアース部材２７０への通電性が確保される。
（９）導通部材１７０は、本実施例では第二弾性部材と導通部材とが一体形成されている。しかし、導通部材１７０をハーネスで構成し、接地部材と第二弾性部材とを接続していてもよい。
【００９１】
また、被挿入部材は給紙トレイ６であってもよく、その場合、検出部等は給紙トレイ６が本体フレーム２００に挿入されているか否かの検出に利用されてもよい。そして、その場合、本発明は、モノクロのレーザプリンタはもちろんのこと、インクジェットプリンタ等のレーザプリンタ以外の画像形成装置にも適用することができる。さらに、本発明は、画像形成装置以外にも、各種家電製品等、種々の処理装置に適用することができる。
【符号の説明】
【００９２】
１…カラーレーザプリンタ    ９…プロセスユニット    １２…プロセスフレーム
１３…現像カートリッジ      １４…感光ドラム        １５…スコロトロン型帯電器
１７…現像ローラ            １８…供給ローラ        １９…層厚規制ブレード
３１…側板        ４１…プロセス側アクチュエータ    ４４…当接部
４５…被検出部              ８２…センサユニット    ８４…フォトセンサ
８５…本体側アクチュエータ    ８８…支持軸          ８９…被当接部
９０…遮光部                １００…捩りバネ        １０１…コイル部
１０５…圧縮バネ          ２００…本体フレーム    ２１０，２２０…サイドフレーム
２１１，２１２…穴部        ２１５…軸受け部        ２１７…係止部
２７０…アース板            ２８０…センサ基板        ２９０…開口部
【図１】
2015106085.tif 000003
【図２】
2015106085.tif 000004
【図３】
2015106085.tif 000005
【図４】
2015106085.tif 000006
【図５】
2015106085.tif 000007
【図６】
2015106085.tif 000008
【図７】
2015106085.tif 000009
【図８】
2015106085.tif 000010
【図９】
2015106085.tif 000011
【図１０】
2015106085.tif 000012
【図１１】
2015106085.tif 000013